(57)【特許請求の範囲】
【請求項１】
地上ディジタルテレビジョン放送のＴＭＣＣ信号を受信するＴＭＣＣ信号受信装置であって、
受信した放送波をＩＦ信号に変換して出力する受信回路と、
前記ＩＦ信号からＴＭＣＣ信号を復調し、前記ＴＭＣＣ信号に含まれるＴＭＣＣ情報を出力するＴＭＣＣ復調回路と、
前記ＩＦ信号からＯＦＤＭシンボルにタイミングを合わせたシンボル同期信号を生成して出力するシンボル同期再生回路と、
前記ＴＭＣＣ情報に対して多数決判定処理を行い、伝送路誤りを訂正する多数決判定処理回路と、
前記ＴＭＣＣ情報からＯＦＤＭフレームにタイミングを合わせたフレーム同期信号を生成して出力するフレーム同期再生回路と、
前記多数決判定処理回路による多数決判定処理したＴＭＣＣ情報について、変化があるか否かを判定し、該判定結果の判定情報を出力するＴＭＣＣ情報判定回路と、
前記２つの同期信号と前記判定情報に基づいて前記受信回路の受信モードを切り替えるように、前記受信回路への電源の供給を制御するための間欠受信制御信号を出力する制御回路とを備え、
前記制御回路は、前記２つの同期信号に基づいて同期状態を判定して前記受信回路を間欠受信させるか又は連続受信させるかを制御するとともに、前記ＴＭＣＣ情報の変化がある旨の判定情報を受け取った場合に、前記多数決判定処理に必要なフレーム数分を連続して受信するように、前記受信回路の電源供給を制御する間欠受信制御信号を出力し、前記多数決判定処理時間を短縮させるようにしたことを特徴とするＴＭＣＣ信号受信装置。
【請求項２】
請求項１に記載のＴＭＣＣ信号受信装置において、
前記制御回路は、
前記２つの同期信号と前記判定情報からいずれの受信モードが適しているかを判定し、該判定結果に基づいて受信モードを切り替えるための受信モード切替制御信号を出力する受信モード切替回路と、
第１の受信モードとして前記受信回路を連続的に動作させるための制御信号を出力する連続受信モード制御信号生成回路と、
第２の受信モードとして前記受信回路をシンボル単位で間欠的に動作させるための制御信号を出力するシンボル間引き受信モード制御信号生成回路と、
第３の受信モードとして前記受信回路を多数決判定処理して受信するのに必要なフレーム数分を連続して受信するように動作させるための制御信号を出力する多数決判定受信モード制御信号生成回路と、
前記３つの受信モードを切り替える受信モード切替スイッチとを有し、
前記受信モード切替回路は、前記ＴＭＣＣ情報の変化がある旨の判定情報を受け取った場合に、前記多数決判定処理に必要なフレーム数分を連続して受信するように、前記受信回路の電源供給を制御する間欠受信制御信号を前記受信モード切替スイッチから出力させ、前記多数決判定処理時間を短縮させるようにしたことを特徴とするＴＭＣＣ信号受信装置。
【請求項３】
請求項１又は２のＴＭＣＣ信号受信装置において、
前記多数決判定処理回路と前記ＴＭＣＣ情報判定回路との間に、多数決判定切替スイッチを更に備え、
前記制御回路は、前記判定情報に応じて前記多数決判定処理回路による多数決判定処理の実行を制御するための多数決判定処理制御信号を前記多数決判定切替スイッチに供給し、
前記多数決判定切替スイッチは、前記多数決判定処理制御信号を受信した場合には、前記ＴＭＣＣ復調回路と前記ＴＭＣＣ情報判定回路との間の接続を、前記多数決判定処理回路と前記ＴＭＣＣ情報判定回路との接続に切り替えるように動作し、前記多数決判定処理回路における多数決判定処理の頻度を最小限に抑えることで、前記ＴＭＣＣ情報判定回路から判定情報を出力するための時間を短縮させるとともに、ＴＭＣＣ受信装置の消費電力を低減したことを特徴とするＴＭＣＣ信号受信装置。
【発明の詳細な説明】
【技術分野】
【０００１】
本発明は、地上ディジタルテレビジョン放送受信機に関し、特に地上ディジタルテレビジョン放送のＴＭＣＣ信号受信装置に関するものである。
【背景技術】
【０００２】
地上ディジタルテレビジョン放送伝送方式であるＩＳＤＢ−Ｔ（Ｉｎｔｅｇｒａｔｅｄ Ｓｅｒｖｉｃｅｓ  Ｄｉｇｉｔａｌ Ｂｒｏａｄｃａｓｔｉｎｇ−Ｔｅｒｒｅｓｔｒｉａｌ）では、受信機の復調・復号処理を補助するための制御情報として、ＴＭＣＣ（Ｔｒａｎｓｍｉｓｓｉｏｎ ａｎｄ  Ｍｕｌｔｉｐｌｅｘｉｎｇ Ｃｏｎｆｉｇｕｒａｔｉｏｎ  Ｃｏｎｔｒｏｌ）信号を特定のキャリアを用いて伝送している。そのＴＭＣＣ信号におけるビット割り当てと、伝送するＴＭＣＣ情報の内容を図１に示す。ＴＭＣＣ信号は、図１に示すように、先頭のビットＢ０が差動復調の基準であり、ビットＢ１〜Ｂ１６がフレーム同期信号、ビットＢ１７〜Ｂ１９がセグメント形式識別、ビットＢ２０〜Ｂ１２１が伝送パラメータなどのＴＭＣＣ情報、ビットＢ１２２〜Ｂ２０３が誤り訂正用パリティビットである。即ち、ＴＭＣＣ信号は、２０４ビットで構成され、１シンボルで１ビット、１フレームで２０４ビットが伝送されることになり、毎フレーム繰り返し伝送されている。
【０００３】
ＴＭＣＣ信号受信装置、又はＴＭＣＣ信号受信装置を備える地上ディジタル放送受信機において、このＴＭＣＣ信号の特定のビット（ＴＭＣＣ情報）を低消費電力で受信する従来技術として、フレーム内間欠受信及びフレーム間間欠受信が知られている（例えば、特許文献１参照）。
【０００４】
フレーム内間欠受信処理のタイミング例を図２に示す。この例では、所望のＴＭＣＣ情報を、Ｂ２６に割り当てられた緊急警報放送用起動フラグ（以下、ＥＷＳ信号と称する。）としている。ＯＦＤＭフレームの先頭シンボル付近でＴＭＣＣ信号受信装置の受信回路を起動して、Ｂ２６のＥＷＳ信号までの合計２７シンボル期間にＴＭＣＣ信号を受信し、Ｂ２７の以降のシンボルに対しては受信回路を停止する。受信回路の起動、停止の制御は受信回路全体に対して実施しても良いし、消費電力の大きい受信回路内の一部の回路を起動したり、停止してもよい。これにより、１フレーム期間に全てのシンボルを受信する場合と比較してＴＭＣＣ信号受信装置の消費電力を低減することができる。
【０００５】
一方、フレーム間間欠受信は、前述のＥＷＳ信号のシンボル以降、数フレーム期間、受信回路を起動せずに、ＴＭＣＣ信号を受信しないようにする間欠受信処理である（例えば、特許文献１参照）。
【０００６】
前述したフレーム内間欠受信処理及びフレーム間間欠受信処理を併用した間欠受信のタイミング例を図３に示す。このように、或る１フレームに対してはフレームの先頭から２７シンボル期間だけ受信回路を起動して受信し、それ以降のシンボル期間とｎ×フレーム期間（ｎは正数）については受信回路を停止したままの非受信回路を設けることで受信回路の消費電力を大幅に低減することができる。
【０００７】
【特許文献１】特開２００６−３１９７７１号公報
【発明の開示】
【発明が解決しようとする課題】
【０００８】
ＩＳＤＢ−Ｔ方式の地上ディジタル放送受信において、バッテリー駆動型の携帯端末などで緊急警報放送による自動起動を実現するためには、ＴＭＣＣ信号に含まれている緊急警報放送用起動フラグ（ＥＷＳ信号）を可能な限り低消費電力で監視することが望ましい。
【０００９】
従来のＴＭＣＣ信号受信装置では、前述したように、受信回路の消費電力を低く抑えるためにフレーム内間欠受信処理する手法及びフレーム内間欠受信処理する手法が提案されている。即ち、フレーム内間欠受信処理とは、ＴＭＣＣ信号の先頭、即ちＯＦＤＭフレーム（以下、単にフレームと称する。）の先頭からＥＷＳ信号が伝送されるＯＦＤＭシンボル（以下、単にシンボルと称する。）までの期間のみを受信する方法である。また、フレーム間間欠受信処理とは、受信するフレーム期間をフレーム単位で間引いて受信する方法である。
【００１０】
図２に示すように、地上ディジタルテレビジョン放送の送信モードがモード３でガードインターバル比（ＧＩ比）１／８の場合、１フレームは２３１．３３６ｍｓｅｃである。フレーム内間欠受信では、従来のＴＭＣＣ信号受信装置における受信回路に電源を供給する継続時間は、例えば３０．６１８ｍｓｅｃ（２７シンボル分）として、ＴＭＣＣ信号のフレームの先頭から受信回路の電源を投入し、所望のシンボル（例えばＥＷＳ信号）が受信された時点で電源を遮断する。従って、ＥＷＳ信号を受信するには最低１フレーム以上を必要としている。また、図３に示すように、フレーム間間欠受信では受信回路の電源投入タイミングはフレームの先頭とし、オン／オフ間隔はＮフレーム（Ｎは自然数）となる。尚、フレーム間間欠受信では受信回路の電源投入タイミングの制約はなく、オン／オフ間隔は所定値（例えば１０秒間隔）とできる。
【００１１】
しかしながら、従来のフレーム内間欠受信では、ＴＭＣＣのパリティビットを受信しないため、ＯＦＤＭ信号のＦＥＣ（前方誤り訂正：Ｆｅｅｄ  ｆｏｒｗｏｒｄ  Ｅｒｒｏｒ  Ｃｏｒｒｅｃｔｉｏｎ）方式における短縮化差集合巡回符号を用いた誤り訂正ができなかった。
【００１２】
このため、所要のビット誤り率を確保するには、何らかの誤り訂正処理を行う必要がある。そこで、フレーム内間欠受信における伝送路ビット誤りを訂正する簡易な方法としてフレーム間で多数決判定することが考えられる（後述するように、多数決判定処理とも称する。）。
【００１３】
多数決判定の一例として、３フレーム分のＴＭＣＣ情報を用いた多数決判定処理を図４に示す。Ｂ２６のＥＷＳ信号をフレーム内間欠受信とフレーム間間欠受信を併用しながら３フレーム分のＴＭＣＣ情報を受信し、得られた３ビットの情報ビット（図４における矢印で指し示すＢ２６の部分）で多数決判定を行う。この方法により伝送路におけるビット誤りを訂正することができる。
【００１４】
しかしながら、フレーム間多数決判定による誤り訂正などを用いた場合、十分な誤り訂正効果を得るためには、多数決判定処理のために多くのフレーム数を用いる必要があり、多数決判定処理結果を得るまでの所要時間が長くなるという問題がある。これは、例えば、緊急警報放送が始まる際に、ＥＷＳ信号の検出に時間がかかってしまい、緊急時に正確な情報を迅速に伝達するという緊急警報放送の本来の目的を十分に実現できないことを意味している。
【００１５】
そこで、本発明の目的は、フレーム内間欠受信とフレーム間間欠受信を効率よく組み合わせることによって、ＥＷＳ信号を監視する際のより一層の消費電力の削減を可能とするとともに、間欠受信時であっても短時間でビット誤りの訂正を実現し、所望のシンボル（例えば、ＥＷＳ信号）の検出の時間を短縮するＴＭＣＣ信号受信装置を提供することにある。
【課題を解決するための手段】
【００１６】
本発明のＴＭＣＣ信号受信装置において、受信回路の消費電力の低減とＴＭＣＣ情報の多数決判定処理に要する時間の短縮を両立させるために、フレーム内間欠受信とフレーム間間欠受信を併用し、ＴＭＣＣ情報を低消費電力で受信し、又は監視する。更に、所望のＴＭＣＣ情報、一例としてＥＷＳ信号の「０」から「１」への変化を検出した場合に、フレーム間間欠受信処理を解除してフレーム内間欠受信処理のみ継続するように制御する。これにより、所望のＴＭＣＣ情報であるＥＷＳ信号を毎フレーム受信することで、多数決判定処理に必要とする規定のフレーム数を満たすまでの時間を短縮させることができる。
【００１７】
即ち、本発明のＴＭＣＣ信号受信装置は、地上ディジタルテレビジョン放送のＴＭＣＣ信号を受信するＴＭＣＣ信号受信装置であって、受信した放送波をＩＦ信号に変換して出力する受信回路と、前記ＩＦ信号からＴＭＣＣ信号を復調し、前記ＴＭＣＣ信号に含まれるＴＭＣＣ情報を出力するＴＭＣＣ復調回路と、前記ＩＦ信号からＯＦＤＭシンボルにタイミングを合わせたシンボル同期信号を生成して出力するシンボル同期再生回路と、前記ＴＭＣＣ情報に対して多数決判定処理を行い、伝送路誤りを訂正する多数決判定処理回路と、前記ＴＭＣＣ情報からＯＦＤＭフレームにタイミングを合わせたフレーム同期信号を生成して出力するフレーム同期再生回路と、前記多数決判定処理回路による多数決判定処理したＴＭＣＣ情報について、変化があるか否かを判定し、該判定結果の判定情報を出力するＴＭＣＣ情報判定回路と、前記２つの同期信号と前記判定情報に基づいて前記受信回路の受信モードを切り替えるように、前記受信回路への電源の供給を制御するための間欠受信制御信号を出力する制御回路とを備え、前記制御回路は、前記２つの同期信号に基づいて同期状態を判定して前記受信回路を間欠受信させるか又は連続受信させるかを制御するとともに、前記ＴＭＣＣ情報の変化がある旨の判定情報を受け取った場合にのみ、前記多数決判定処理に必要なフレーム数分を連続して受信するように、前記受信回路の電源供給を制御する間欠受信制御信号を出力し、前記多数決判定処理時間を短縮させるようにしたことを特徴とする。
【００１８】
更に、本発明のＴＭＣＣ信号受信装置において、前記制御回路は、前記２つの同期信号と前記判定情報からいずれの受信モードが適しているかを判定し、該判定結果に基づいて受信モードを切り替えるための受信モード切替制御信号を出力する受信モード切替回路と、第１の受信モードとして前記受信回路を連続的に動作させるための制御信号を出力する連続受信モード制御信号生成回路と、第２の受信モードとして前記受信回路をシンボル単位で間欠的に動作させるための制御信号を出力するシンボル間引き受信モード制御信号生成回路と、第３の受信モードとして前記受信回路を多数決判定処理して受信するのに必要なフレーム数分を連続して受信するように動作させるための制御信号を出力する多数決判定受信モード制御信号生成回路と、前記３つの受信モードを切り替える受信モード切替スイッチとを有し、前記受信モード切替回路は、前記ＴＭＣＣ情報の変化がある旨の判定情報を受け取った場合に、前記多数決判定処理に必要なフレーム数分を連続して受信するように、前記受信回路の電源供給を制御する間欠受信制御信号を前記受信モード切替スイッチから出力させ、前記多数決判定処理時間を短縮させるようにしたことを特徴とする。
【００１９】
更に、本発明のＴＭＣＣ信号受信装置において、前記多数決判定処理回路と前記ＴＭＣＣ情報判定回路との間に、多数決判定切替スイッチを更に備え、前記制御回路は、前記判定情報に応じて前記多数決判定処理回路による多数決判定処理の実行を制御するための多数決判定処理制御信号を前記多数決判定切替スイッチに供給し、前記多数決判定切替スイッチは、前記多数決判定処理制御信号を受信した場合には、前記ＴＭＣＣ復調回路と前記ＴＭＣＣ情報判定回路との間の接続を、前記多数決判定処理回路と前記ＴＭＣＣ情報判定回路との接続に切り替えるように動作し、前記多数決判定処理回路における多数決判定処理の頻度を最小限に抑えることで、前記ＴＭＣＣ情報判定回路から判定情報を出力するための時間を短縮させるようにしたことを特徴とする。
【発明の効果】
【００２０】
本発明のＴＭＣＣ信号受信装置によれば、受信回路に対する間欠受信動作を切り替える制御回路を具備することで、受信装置の消費電力を低く抑えながら、フレーム間多数決判定処理によって間欠受信時であってもビット誤りの訂正を実現することが可能となる。特に、フレーム間多数決判定に要する時間を短縮することができ、これにより緊急放送時にはＥＷＳ信号を検出する時間を短縮することが可能となる。従って、受信装置の低消費電力化とＥＷＳ信号の検出に要する時間の短縮化の両立を可能とする。
【００２１】
更に、多数決判定処理を行う多数決判定処理回路に対しても同様に受信モードに応じて切り替えることにより、ＴＭＣＣ情報の判定に要する時間を短縮することが可能となる。
【発明を実施するための最良の形態】
【００２２】
まず、本発明による実施例１のＴＭＣＣ信号受信装置を説明する。
【００２３】
（実施例１）
本発明の理解を容易にするために、ＴＭＣＣ情報のＢ２６に割り当てられている緊急警報放送用起動フラグ（ＥＷＳ信号）が伝送されるシンボル部分を所望のシンボルとして説明する。ＥＷＳ信号は、通常「０」であるが、大規模地震の警戒宣言や津波警報等が発令した際に、緊急警報放送が開始されるとともに「１」に変化し、放送継続中は常に「１」である。
【００２４】
図５に、本発明による実施例１のＴＭＣＣ信号受信装置のブロック図を示す。実施例１のＴＭＣＣ信号受信装置は、ＩＳＤＢ−Ｔ方式の地上ディジタルテレビジョン放送信号に含まれるＴＭＣＣ信号を受信して復調し、ＴＭＣＣ情報を出力する装置である。ＴＭＣＣ信号受信装置は、受信アンテナ１０、受信回路１１、ＴＭＣＣ復調回路１２、シンボル同期再生回路１３、多数決判定処理回路１４、フレーム同期再生回路１５、ＴＭＣＣ情報判定回路１６、制御回路１７、電源スイッチ１８及び電源回路１９を備える。
【００２５】
受信回路１１は、受信アンテナ１０を経て受信した該放送信号の無線周波数（ＲＦ）帯の受信信号を中間周波数（ＩＦ）信号に変換して出力する。変換されたＩＦ信号は、ＴＭＣＣ復調回路１２及びシンボル同期再生回路１３に入力される。
【００２６】
ＴＭＣＣ復調回路１２は、受信回路１１からＩＦ信号を入力し、ＩＦ信号に含まれるＴＭＣＣ信号成分を抽出し、抽出したＴＭＣＣ信号を復調し、ＴＭＣＣ信号に含まれるＴＭＣＣ情報を出力する。抽出したＴＭＣＣ情報は、多数決判定処理回路１４及びフレーム同期再生回路１５に入力される。尚、ＴＭＣＣ信号を復調する方法、及びＴＭＣＣ信号に含まれるＴＭＣＣ情報を抽出する方法は、既知の如何なる手法を用いることができる。また、ＴＭＣＣ復調回路１２は、既知の方法でシンボル同期及びフレーム同期の双方を確立し、ＴＭＣＣ信号を復調する機能を有する。
【００２７】
シンボル同期再生回路１３は、受信回路１１からＩＦ信号を入力し、ＩＦ信号からＯＦＤＭ信号のシンボルタイミングを再生し、シンボル同期信号を生成して出力する。即ち、シンボル同期信号は、ＯＦＤＭ信号のＯＦＤＭシンボルにタイミングを合わせた信号である。シンボル同期信号は、制御回路１７に入力される。例えば、ＯＦＤＭ信号のシンボルタイミングの再生には、ＩＦ信号からの同相直交成分（Ｉ，Ｑ信号）と、それらを有効シンボル長分遅延させた同相直交成分（Ｉ’，Ｑ’信号）との相関を利用して、シンボル同期信号を再生する方法がある。尚、シンボル同期信号は、シンボル単位でトリガ発生するパルス信号とでき、シンボル同期再生回路１３は、シンボル同期信号を生成するために、例えばシンボル同期信号より高いもしくは同一の周波数のクロック発生器とカウンタを備え、クロック発生器で発生したクロックをカウンタでカウントし、カウント値がシンボル単位の値となる毎にパルスを発生させ、１フレームの２０４シンボル分をカウントした後に、カウント値をリセットすることを繰り返す。
【００２８】
多数決判定処理回路１４は、ＴＭＣＣ復調回路１２から受信した数フレーム分のＴＭＣＣ情報を内部で保持し、その保持した数シンボル分のＴＭＣＣ情報のうち、数の多い値を出力する多数決判定を行い（以下、多数決判定処理とも称する）、これにより伝送路誤りを訂正する。多数決判定処理回路１４は、多数決判定処理したＴＭＣＣ情報をＴＭＣＣ情報判定回路１６に出力する。尚、多数決判定処理を行うために所定のフレーム数分のＴＭＣＣ情報を格納するメモリを用いることができる。
【００２９】
フレーム同期再生回路１５は、ＴＭＣＣ復調回路１２からＴＭＣＣ情報を入力し、ＴＭＣＣ情報からフレームタイミングを再生し、フレーム同期信号を生成して出力する。フレーム同期信号は、制御回路１７に入力される。例えば、フレームタイミングは、ＴＭＣＣ復調回路１２の出力であるＴＭＣＣ情報の同期信号（ビットＢ１〜Ｂ１６に割り当てられる）を用いて再生する。即ち、フレーム同期信号は、ＯＦＤＭ信号のＯＦＤＭフレームにタイミングを合わせた信号である。尚、フレーム同期信号は、フレーム単位でトリガ発生するパルス信号とでき、フレーム同期再生回路１５は、フレーム同期信号を生成するために、例えばフレーム同期信号より高いもしくは同一の周波数のクロック発生器（好適には、シンボル同期再生回路１３と同一のものを用いる。）とカウンタを備え、クロック発生器で発生したクロックをカウンタでカウントし、カウント値がフレームの先頭の値となる毎にパルスを発生させ、１フレーム毎にカウント値をリセットすることを繰り返す。
【００３０】
ＴＭＣＣ情報判定回路１６は、多数決判定処理回路１４において多数決判定処理でビット誤りが訂正されたＴＭＣＣ情報を入力する。ＴＭＣＣ情報判定回路１６は、例えばＢ２６のＥＷＳ信号に変化が無いと判定した場合、ＴＭＣＣ情報として外部出力すると同時に、その判定結果に応じた判定情報（例えば「０」）を制御回路１７に供給する。逆に、Ｂ２６のＥＷＳ信号が「０」から「１」への変化、又は「１」から「０」への変化を検出した際には、ＴＭＣＣ情報判定回路１６は、その判定結果に応じた判定情報（例えば「１」）を制御回路１７に供給する。つまり、ＴＭＣＣ情報判定回路１６は、ＴＭＣＣ情報の変化を監視し、又は判定している。
【００３１】
制御回路１７は、シンボル同期再生回路１３からシンボル同期信号を入力するとともに、フレーム同期再生回路１５からフレーム同期信号を入力し、各々の同期信号に基づいて、所望のＴＭＣＣ情報（例えば、Ｂ２６のＥＷＳ信号）付近で受信回路１１を起動するように間欠受信制御信号を生成する。本実施例では、電源回路１９から受信回路１１への電源供給のために、間欠受信制御信号により電源スイッチ１８を制御するように動作する。更に、制御回路１７は、ＴＭＣＣ情報判定回路１６からＴＭＣＣ情報の変化がある旨の判定情報を受け取った場合に、多数決判定受信モードとして多数決判定処理回路１４の多数決判定処理に必要なフレーム数分を連続して受信するように、受信回路１１の電源供給を制御する間欠受信制御信号を出力する。尚、制御回路１７は、クロック発生器とカウンタを備え、フレーム同期信号によってフレームの先頭シンボルを検知してカウントを開始し、シンボル同期信号によって所定のシンボル数をカウントすることにより、電源スイッチ１８をオン／オフ制御するための間欠受信制御信号を生成する。先頭シンボルから所望シンボルまでの所定のシンボル数分（その所定のシンボル数は、電波産業界の規格で規定されているＴＭＣＣ情報の割り当てから既知である。）のカウントは、制御回路１７に入力されたシンボル同期信号のパルスによって行う。
【００３２】
従って、実施例１のＴＭＣＣ信号受信装置は、制御回路１７から出力される間欠受信制御信号に基づいて、受信回路１１を駆動する電源回路１９の電源供給を制御する。
【００３３】
以下、実施例１のＴＭＣＣ信号受信装置の動作を詳細に説明する。
【００３４】
受信アンテナ１０によって受信したＩＳＤＢ−Ｔ方式の無線周波数（ＲＦ）信号は、受信回路１１に入力される。受信回路１１により、入力されたＲＦ信号は、中間周波数（ＩＦ）信号に周波数変換して出力される。受信回路１１から出力されたＩＦ信号は、ＴＭＣＣ復調回路１２及びシンボル同期再生回路１３に入力される。
【００３５】
ＴＭＣＣ復調回路１２により、入力されたＩＦ信号に含まれるＴＭＣＣ信号成分を抽出して復調し、得られたＴＭＣＣ情報を外部出力するとともに、フレーム同期再生回路１５に出力する。ＴＭＣＣ復調回路１２は、地上ディジタルテレビジョン放送波のＴＭＣＣ信号に含まれるＥＷＳ信号を検出すると、ＯＦＤＭ復調機能を有する地上ディジタルテレビジョン放送チューナを起動させる。地上ディジタルテレビジョン放送受信機（ワンセグ受信機能付携帯電話等を含む）は、ここで初めて緊急警報放送が受信可能な状態になる。
【００３６】
シンボル同期再生回路１３により、受信回路１１から出力されたＩＦ信号を受信して、ＯＦＤＭ信号のシンボルタイミングに同期したシンボル同期信号を生成する。ここで、生成されたシンボル同期信号は制御回路１７に供給される。これにより、制御回路１７は、シンボル単位でカウントすることができるようになる。
【００３７】
フレーム同期再生回路１５により、図１に示すビットＢ１〜Ｂ１６に割り当てられた１６ビットの同期信号を検出し、ＯＦＤＭ信号のフレームタイミングに同期したフレーム同期信号を生成する。ここで、生成されたフレーム同期信号は、シンボル同期信号と同様に制御回路１７に供給される。これにより、制御回路１７に入力されたフレーム同期信号によってフレームの先頭シンボルのタイミングを検知することができる。
【００３８】
制御回路１７により、シンボル同期再生回路１３及びフレーム同期再生回路１５からそれぞれ入力されたシンボル同期信号とフレーム同期信号を基に、フレームの先頭シンボルから所望のＴＭＣＣ情報であるＢ２６のＥＷＳ信号付近（例えば、ＥＷＳ信号のタイミングを合わせるために直前の数シンボル分とすることもできる。）まで受信回路１１を起動するための間欠受信制御信号を生成し、電源スイッチ１８に出力する。
【００３９】
電源スイッチ１８は、間欠受信制御信号に基づいて、電源回路１９から供給された直流電源（又は交流電源）のオン／オフを行う。つまり、電源スイッチ１８がオンである期間は、受信回路１１に電源回路１９からの電源供給がなされ、受信回路１１は起動し信号を受信する。電源スイッチ１８がオフである期間は、受信回路１１に電源回路１９からの電源供給がなされず、受信回路１１は起動せずに、信号を受信しない。尚、ここでは、電源スイッチ１８でオン／オフする電源の供給先は受信回路１１全体として説明したが、電源の供給先として受信回路１１の一部とすることができる（例えば、ＥＷＳ信号の受信に不可欠なコンポーネント部分、又は電力消費の大きいコンポーネント部分のみとできる。）。
【００４０】
これにより、制御回路１５から出力される制御信号に基づき受信回路１１を駆動する電源回路１９からの電源供給を制御することができ、ＥＷＳ信号を低消費電力で監視するとともに、ＥＷＳ信号検出時間の短縮化を図ることができるようになる。
【００４１】
次に、実施例１において、ＴＭＣＣ情報判定回路１６の判定情報によって受信モードを切り替える間欠受信制御信号について説明する。制御回路１７で生成される間欠受信制御信号のパターンの例を図６に示す。図６の例では、「シンボル間引き受信モード」、「多数決判定受信モード」及び「連続受信モード」の３種類の受信モードにおける制御信号例を示しており、それぞれについて説明する。
【００４２】
「シンボル間引き受信モード」は、フレーム同期信号からＯＦＤＭフレームの先頭位置を検出し、シンボル同期信号を既知のシンボル数分（ＥＷＳ信号の場合は、２７）をカウントすることで、ＥＷＳ信号のシンボル位置を検出するための受信モードである。先頭シンボル付近で、受信回路１１に通電させる制御信号を出力し、ＥＷＳ信号以降のシンボルに対しては受信回路１１に供給する電源を遮断することで、フレーム内間欠受信することを可能としている。この受信モードでは、フレーム内間欠受信とフレーム間間欠受信とを組み合わせており、受信回路１１の通電時間をできる限り削減してＥＷＳ信号監視時におけるＴＭＣＣ信号受信装置の省電力化を図ることができる。
【００４３】
「多数決判定受信モード」は、ＴＭＣＣ情報判定回路１６にてＴＭＣＣ情報の変化を検出した際に、フレーム間間欠受信を解除し、毎フレーム所定のＴＭＣＣ情報（例えばＥＷＳ信号）を受信するための受信モードである。ＥＷＳ信号を受信する頻度を毎フレームとするように高めて、多数決判定処理に必要な規定のフレーム数を満たすまでの所要時間を大幅に短縮させることができ、結果として多数決判定処理に要する時間を低減させることができる。つまり、図４に示す３フレーム分の多数決判定処理を例にすると、「シンボル間引き受信モード」では、最低５フレーム期間経過しないと３フレーム分のＴＭＣＣ情報を受信できないが、「多数決判定受信モード」であれば、３フレーム期間で３フレーム分のＴＭＣＣ情報を利用することができる。従って、この受信モードでは、多数決判定処理結果の判定情報を出力するまでの時間を大幅に短縮させることができる。
【００４４】
「連続受信モード」は、受信状況の変化によりフレーム同期外れや、シンボル同期外れが発生した場合に、受信回路１１を連続的に起動（通電）させ、放送波を連続的に受信して、再同期をかけるための受信モードである。実施例１のＴＭＣＣ信号受信装置は、連続受信モードで再同期が確立した後、即ち制御回路１７にシンボル同期信号及びフレーム同期信号を再入力した後には、制御回路１７により再び「シンボル間引き受信モード」又は「多数決判定受信モード」に戻し、省電力でＴＭＣＣ信号を受信するように動作する。
【００４５】
図７に、この３種類の間欠制御信号パターン（即ち、３つの受信モード）を実現する制御回路１７のブロック図を示す。図７の例では、制御回路１７は、受信モード切替回路２０、シンボル間引き受信モード制御信号生成回路２１、多数決判定受信モード制御信号生成回路２２、連続受信モード制御信号生成回路２３及び受信モード切替スイッチ２４を備える。
【００４６】
受信モード切替回路２０は、フレーム同期信号、シンボル同期信号及び判定情報から、いずれの受信モードが適しているかを判定し、判定した受信モードに応じた旨のモード切替制御信号を受信モード切替スイッチ２４に出力する。具体的には、受信モード切替回路２０は、フレーム同期信号及びシンボル同期信号に基づいて同期状態を判定して受信回路１１を間欠受信させるか又は連続受信させるかを制御するとともに、ＴＭＣＣ情報判定回路１６からＴＭＣＣ情報に変化がある旨の判定情報を受け取った場合に、多数決判定処理回路の多数決判定処理に必要なフレーム数分を連続して受信するようにモード切替制御信号を受信モード切替スイッチ２４に供給して、受信モード切替スイッチ２４から、受信回路１１の電源供給を制御する間欠受信制御信号を出力するようにする。尚、受信モード切替回路２０は、受信モードの選択の際に、用途に応じて優先度を設けて制御してもよい。例えば、フレーム同期信号、シンボル同期信号及び判定情報に基づいて、連続受信モード（第１の受信モード）、シンボル間引き受信モード（第２の受信モード）、多数決判定受信モード（第３の受信モード）の順に、優先度を設けて制御することができる。尚、多数決判定受信モード及び連続受信モードのいずれにおいても、多数決判定処理回路１４で多数決判定処理を行うことができる。
【００４７】
シンボル間引き受信モード制御信号生成回路２１は、第２の受信モードとしてシンボル同期再生回路１３及びフレーム同期再生回路１５からそれぞれ供給されたフレーム同期信号及びシンボル同期信号を入力し、第２の受信モードとして受信回路１１をシンボル単位で間欠的に動作させるための制御信号を出力する。具体的には、シンボル間引き受信モード制御信号生成回路２１は、受信回路１１に供給する電源回路１９からの電源供給を間欠的にオン／オフ制御し、放送波を間欠受信するための制御信号を生成して出力する。
【００４８】
多数決判定受信モード制御信号生成回路２２は、第３の受信モードとしてフレーム同期信号及びシンボル同期信号を入力し、受信回路１１への電源供給をフレーム単位でオン／オフ制御可能な制御信号を出力する。
【００４９】
連続受信モード制御信号生成回路２３は、常に放送波を受信するように、第１の受信モードとして受信回路１１を連続的に動作させるための制御信号を出力する。具体的には、連続受信モード制御信号生成回路２３は、電源回路１９から連続的に受信回路１１に電源供給し、放送波を連続受信するための制御信号を生成して出力する。連続受信モード制御信号生成回路２３による制御信号は、フレーム同期信号及びシンボル同期信号がシンボル間引き受信モード制御信号生成回路２１及び多数決判定受信モード制御信号生成回路２２に入力されないとき（即ち、パルス信号を検出しないとき）に、即ち受信モード切替回路２０により同期外れと判定された場合に、選択される。
【００５０】
受信モード切替スイッチ２４は、シンボル間引き受信モード制御信号生成回路２１、多数決判定受信モード制御信号生成回路２２及び連続受信モード制御信号生成回路２３からの制御信号のいずれかを、受信モード切替回路２０の制御により選択し、選択された制御信号を間欠受信制御信号として出力する。
【００５１】
フレーム同期信号及びシンボル同期信号の双方は、受信モード切替回路２０、シンボル間引き受信モード制御信号生成回路２１及び多数決判定受信モード制御信号生成回路２２に入力される。更に、ＴＭＣＣ情報判定回路１６から出力される判定情報が受信モード切替回路２０に入力される。
【００５２】
受信モード切替回路２０により、フレーム同期信号、シンボル同期信号及び判定情報から、いずれの受信モードが適しているかを判定する。判定した受信モードに応じた旨のモード切替制御信号を受信モード切替スイッチ２４に出力する。尚、いずれの受信モードが適しているかを判定する受信モードの切替基準については後述する。
【００５３】
「シンボル間引き受信モード」、「多数決判定受信モード」及び「連続受信モード」の３種類の受信モードにおける受信モード切替回路２０の動作をより詳細に説明する。
【００５４】
通常、移動・携帯受信環境下では、受信レベル変動、ドップラー効果による周波数シフト、マルチパスの影響などによりフレーム同期外れやシンボル同期外れが発生しうる。そこで、受信モード切替回路２０は、シンボル同期信号及びフレーム同期信号の双方又はいずれか一方に同期外れが発生したか否かを、シンボル同期信号及びフレーム同期信号の入力の有無（即ち、同期のためのパルス信号の有無）で判定することができる。
【００５５】
まず、受信モード切替回路２０は、シンボル同期信号及びフレーム同期信号の双方に同期外れが発生していないと判定する場合、シンボル間引き受信モード制御信号生成回路２１が出力する信号を選択するように受信モード切替スイッチ２４を制御する。
【００５６】
次に、受信モード切替回路２０は、所望のＴＭＣＣ情報に変化があるというＴＭＣＣ情報判定回路１６からの判定情報が入力されたときは、所定のフレーム数分のＴＭＣＣ情報を連続して受信し、多数決判定受信モード制御信号生成回路２２の制御信号を選択する受信モード切替スイッチ２４を制御する。
【００５７】
次に、受信モード切替回路２０は、シンボル同期信号及びフレーム同期信号の双方又はいずれか一方に同期外れが発生したと判定する場合、連続的に放送波を受信して再び同期を確立するために、連続受信モード制御信号生成回路２３が出力する制御信号を選択するように受信モード切替スイッチ２４を制御する。
【００５８】
次に、受信モード切替回路２０により、連続受信モード（第１の受信モード）でフレーム及びシンボルの同期を確立させた後、再びシンボル間引き受信モード制御信号生成回路２１が出力する制御信号を選択するように受信モード切替スイッチ２４を切り替える。シンボル間引き受信モード制御信号生成回路２１が出力する制御信号を選択してシンボル間引き受信モード（第２の受信モード）で動作させることにより、低消費電力でＴＭＣＣ情報（又は、例えばＥＷＳ信号）を待ち受ける状態に戻す。
【００５９】
この受信モード切替回路２０の動作を自動的に行うことで、ＴＭＣＣ信号受信装置２は、常に受信する放送波への同期を保持したままＴＭＣＣ情報（又は、例えばＥＷＳ信号）を低消費電力で監視することができ、且つ多数決判定処理を短時間で行うことができるようになる。
【００６０】
従って、受信モード切替回路２０によってシンボル同期信号又はフレーム同期信号のいずれか一方でも同期が外れた際に同期外れとして検出し、再同期するまで放送波を連続受信するように受信回路１１の電源供給を制御して再同期させることにより、同期外れによる継続的な受信不可となる状況を回避するとともに、多数決判定処理結果の判定情報を出力するまでの時間を大幅に短縮させることが可能となる。
【００６１】
受信モードの切り替え基準の一例を図８に示す。制御回路１７は、フレーム同期信号及びシンボル同期信号が入力され、且つ所望のＴＭＣＣ情報に変化がないという判定情報が入力されているときは、「シンボル間引き受信モード」に切り替え、低消費電力で所望のＴＭＣＣ情報を受信し、監視するようにＴＭＣＣ受信装置を動作させる。また、制御回路１７は、フレーム同期信号及びシンボル同期信号が入力され、且つ所望のＴＭＣＣ情報に変化があるという判定情報が入力されたときは、「多数決判定受信モード」に切り替え、毎フレーム所望のＴＭＣＣ情報を受信し、多数決判定処理結果の情報（任意の形式でよい。）を短時間で出力するようにＴＭＣＣ受信装置を動作させる。そして、制御回路１７は、フレーム同期信号及びシンボル同期信号のうち、いずれか一方が入力されない、即ち同期外れが生じたときには、「連続受信モード」に切り替え、連続的に受信し再同期をかけるようにＴＭＣＣ受信装置を動作させる。尚、「連続受信モード」において、多数決判定処理回路１４における多数決判定処理を実行するか否かは任意に選択できるものである。
【００６２】
上述の例では、平常時は省電力でＴＭＣＣ信号の監視状態にあり、非平常時には多数決判定処理時間を短縮する状態にあり、受信状況が劣化し同期外れが発生した際には、再同期を目的とした連続受信状態になる。尚、図７の制御回路１７の厳密な構成及び受信モードの切り替え順序は一例であって、これに限定するものではない。
【００６３】
電源スイッチ１８は、電源回路１９から供給された直流電源又は交流電源を間欠受信制御信号に基づいてスイッチのオン／オフを切り替える。つまり、電源スイッチ１８がオンである期間は、受信回路１１に電源回路１９からの電源供給がなされ、受信回路１１は起動し信号を受信する。電源スイッチ１８がオフである期間は、受信回路１１に電源回路１９からの電源供給がなされず、受信回路１１は起動せずに、信号を受信しない。電源スイッチ１８で切り替える電源の供給先は受信回路１１全体として説明したが、受信回路１１のうち消費電力の大きな回路の一部でも構わない。
【００６４】
実施例１の制御回路１７を具備したＴＭＣＣ受信装置であれば、低消費電力にてＴＭＣＣ信号を監視しつつ、多数決判定処理時間を短縮させることが可能となる。特に、緊急放送時には多数決判定処理したＥＷＳ信号を短時間で検出し、外部へ出力することが可能となる。
【００６５】
次に、本発明による実施例２のＴＭＣＣ信号受信装置を説明する。
【００６６】
（実施例２）
実施例１と同様に、ＴＭＣＣ情報のＢ２６に割り当てられている緊急警報放送用起動フラグ（ＥＷＳ信号）が伝送されるシンボル部分を所望のシンボルとして説明する。ＥＷＳ信号は、通常「０」であるが、大規模地震の警戒宣言や津波警報等が発令した際に、緊急警報放送が開始されるとともに「１」に変化し、放送継続中は常に「１」である。
【００６７】
図９に、本発明による実施例２のＴＭＣＣ信号受信装置のブロック図を示す。また、図１０に、実施例２のＴＭＣＣ信号受信装置における、多数決判定処理制御信号を出力する制御回路１７の構成例を示す。尚、実施例１と同様な構成要素には、同一の参照番号を付している。実施例２のＴＭＣＣ信号受信装置は、実施例１と同様に、ＩＳＤＢ−Ｔ方式の地上ディジタルテレビジョン放送信号に含まれるＴＭＣＣ信号を受信し、ＴＭＣＣ信号に含まれるＴＭＣＣ情報を復調し、出力する装置である。実施例２のＴＭＣＣ信号受信装置は、受信アンテナ１０、受信回路１１、ＴＭＣＣ復調回路１２、シンボル同期再生回路１３、多数決判定処理回路１４、フレーム同期再生回路１５、ＴＭＣＣ情報判定回路１６、制御回路１７、電源スイッチ１８、電源回路１９及び多数決判定切替スイッチ２５を備える。
【００６８】
実施例２のＴＭＣＣ信号受信装置は、実施例１のＴＭＣＣ信号受信装置と比較して、特に多数決判定切替スイッチ２５を更に備えている点で相違する。
【００６９】
従って、実施例２のＴＭＣＣ信号受信装置において、受信アンテナ１０、受信回路１１、ＴＭＣＣ復調回路１２、シンボル同期再生回路１３、多数決判定処理回路１４、フレーム同期再生回路１５、ＴＭＣＣ情報判定回路１６、電源スイッチ１８及び電源回路１９の各々の動作は実施例１と同様であり、詳細な説明は省略する。
【００７０】
実施例２の制御回路１７は、ＴＭＣＣ情報判定回路１６にてＴＭＣＣ情報の変化を検出した旨の判定情報を受け取った場合に、実施例１と同様に受信モードを「多数決判定受信モード」に切り替える間欠受信制御信号を出力するように制御するが、実施例２では、多数決判定処理回路１４に多数決判定処理を実行させるための多数決判定処理制御信号を多数決判定切替スイッチ２５に供給する。
【００７１】
多数決判定切替スイッチ２５は、制御回路１７の多数決判定処理制御信号を受信した場合には、ＴＭＣＣ復調回路１２とＴＭＣＣ情報判定回路１６との間の接続を、多数決判定処理回路１５とＴＭＣＣ情報判定回路１６との接続に切り替えるように動作する。
【００７２】
これにより、制御回路１７によって受信モードを「シンボル間引き受信モード」又は「連続受信モード」から「多数決判定受信モード」に切り替えるとともに、多数決判定処理回路１４によって多数決判定処理を実行することが可能となる。
【００７３】
次に、多数決判定切替スイッチ２５の切り替え基準についてより詳細に説明する。図１１に、多数決判定切替スイッチ２５の切り替え基準の例を示す。「シンボル間引き受信モード」でＴＭＣＣ信号を受信している間は、フレーム同期信号及びシンボル同期信号が安定的に制御回路１７に供給されている状態である。換言すれば、例えばＴＭＣＣの同期信号（Ｂ１〜Ｂ１６）を、ビット誤りがなく良好な状態で受信している状態である。このような良好な受信状態では、多数決判定処理を行う必要度は低いため、多数決判定切替スイッチ２５は、ＴＭＣＣ復調回路１２の出力側を選択することになる。即ち、良好な受信状態のときに必要度の低い多数決判定処理を行わないため、多数決判定処理による遅延を生じることなくＴＭＣＣ情報をＴＭＣＣ情報判定回路１６に供給することができる。
【００７４】
実施例２の制御回路１７を具備したＴＭＣＣ受信装置であれば、低消費電力にてＴＭＣＣ信号を監視しつつ、多数決判定処理時間を短縮させるとともに、多数決判定処理したＴＭＣＣ情報を出力するまでの時間を短縮することが可能となる。
【００７５】
上述の実施例については代表的な例として説明したが、本発明の趣旨及び範囲内で、多くの変形及び置換することができることは当業者に明らかである。例えば、ＴＭＣＣ信号受信装置は、他の信号受信装置と組み合わせることができ、地上ディジタルテレビジョン放送受信機にそのようなＴＭＣＣ信号受信装置を設けることができる。また、ＩＳＤＢ−Ｔ方式に準ずる如何なる方式にも本発明の要素を適用可能である。従って、本発明は、上述の実施例によって制限するものと解するべきではなく、特許請求の範囲によってのみ制限される。
【産業上の利用可能性】
【００７６】
本発明によるＴＭＣＣ信号受信装置は、緊急警報放送用の信号を低消費電力で監視することができ、緊急警報放送用の信号を用いる伝送システムにおける受信装置に有用である。
【図面の簡単な説明】
【００７７】
【図１】ＴＭＣＣ信号におけるビット割り当て及び伝送するＴＭＣＣ情報の内容を示す図である。
【図２】フレーム内間欠受信処理のタイミング例を示す図である。
【図３】フレーム内間欠受信処理及びフレーム間間欠受信処理を併用した間欠受信のタイミング例である。
【図４】本発明による実施例１のＴＭＣＣ信号受信装置における３フレーム分のＴＭＣＣ情報を用いた多数決判定処理の例を示す図である。
【図５】本発明による実施例１のＴＭＣＣ信号受信装置を示す図である。
【図６】本発明による実施例１のＴＭＣＣ信号受信装置における間欠受信制御信号のパターン例を示す図である。
【図７】本発明による実施例１のＴＭＣＣ信号受信装置における、３種類の間欠制御信号パターンを実現する制御回路のブロック図である。
【図８】本発明による実施例１のＴＭＣＣ信号受信装置における、受信モードの切り替え基準の一例を示す図である。
【図９】本発明による実施例２のＴＭＣＣ信号受信装置を示す図である。
【図１０】本発明による実施例２のＴＭＣＣ信号受信装置における、３種類の間欠制御信号パターンを実現する制御回路のブロック図である。
【図１１】本発明による実施例２のＴＭＣＣ信号受信装置における、多数決判定切替スイッチの切り替え基準の一例を示す図である。
【符号の説明】
【００７８】
１０  受信アンテナ
１１  受信回路
１２  ＴＭＣＣ復調回路
１３  シンボル同期再生回路
１４  多数決判定処理回路
１５  フレーム同期再生回路
１６  ＴＭＣＣ情報判定回路
１７  制御回路
１８  電源スイッチ
１９  電源回路
２０  受信モード切替回路
２１  シンボル間引き受信モード制御信号生成回路
２２  多数決判定受信モード制御信号生成回路
２３  連続受信モード制御信号生成回路
２４  受信モード切替スイッチ
２５  多数決判定切替スイッチ
【図１】
0005028229.tif 000002
【図２】
0005028229.tif 000003
【図３】
0005028229.tif 000004
【図４】
0005028229.tif 000005
【図５】
0005028229.tif 000006
【図６】
0005028229.tif 000007
【図７】
0005028229.tif 000008
【図８】
0005028229.tif 000009
【図９】
0005028229.tif 000010
【図１０】
0005028229.tif 000011
【図１１】
0005028229.tif 000012